(57)【要約】      （修正有）【課題】モバイル端末ＰＯＳを備え、ネットバンクしていない状態でもオンライン決済が出来るモバイル決済装置を提供する。【解決手段】モバイル決済装置には、モバイル端末と、前記モバイル端末とマッチするモバイル端末ＰＯＳとを含む。前記モバイル端末ＰＯＳはその上で使用できる磁気カードに感応する。前記モバイル端末ＰＯＳは、順序に従いモバイル端末とモバイルインターネットを通じてバックグラウンドサーバと接続する。本考案のモバイル決済装置は、ネットバンキングしていない状態でもオンライン決済ができ、モバイルインターネットで信頼できる決済ルートを提供することで、モバイル決済が容易になるだけではなく、且つ、ユーザにも便利となり、その使用要求を満たすことができる。【選択図】図１
0003175140.tif 000002
【実用新案登録請求の範囲】
【請求項１】
モバイル決済装置であって、モバイル端末と、前記モバイル端末とマッチするモバイル端末ＰＯＳとを、含み、前記モバイル端末ＰＯＳはその上で使用できる磁気カードに感応し、前記モバイル端末ＰＯＳは順序に従いモバイル端末とモバイルインターネットを通じてバックグラウンドサーバと接続することを特徴とするモバイル決済装置。
【請求項２】
前記モバイル端末に外部インターフェースが設けられ、前記モバイル端末ＰＯＳに磁気ヘッドとフィルタ回路が設置され、前記磁気ヘッドが前記磁気カードに感応し、フィルタ回路の入力側と出力側はそれぞれ磁気ヘッドと外部インターフェースに電気的に接続し、前記モバイル端末はモバイルインターネットを通じて前記バックグラウンドサーバにも接続することを特徴とする請求項１に記載のモバイル決済装置。
【請求項３】
前記外部インターフェースがＭＩＣインターフェースとすることを特徴とする請求項２に記載のモバイル決済装置。
【請求項４】
前記バックグラウンドサーバが（公序良俗違反につき、不掲載）のサーバとすることを特徴とする請求項３に記載のモバイル決済装置。
【請求項５】
前記モバイル端末が携帯電話、或いは、ＰＤＡ、又は、タブレット型コンピュータとし、これに対応する前記モバイル端末ＰＯＳは携帯電話ＰＯＳ、或いは、ＰＤＡ‐ＰＯＳ、または、タブレット型コンピュータＰＯＳとすることを特徴とする請求項１〜４に記載のモバイル決済装置。
【考案の詳細な説明】
【技術分野】
【０００１】
本考案は、モバイル決済の分野に関り、特に、モバイル決済装置に関する。
【背景技術】
【０００２】
現在オンライン決済の具体的方法は、ウォレットチャージのように、主にユーザが予めインターネットプラットホームでチャージしてからインターネットで消費を行うことである。
【０００３】
但し、ユーザが携帯電話或いはＰＤＡ（つまりＰｅｒｓｏｎａｌ  Ｄｉｇｉｔａｌ  Ａｓｓｉｓｔａｎｔ、個人用デジタル補助装置）またはタブレット型コンピュータを使用する時、携帯電話或いはＰＤＡまたはタブレット型コンピュータ等のモバイル端末のネットバンキングを申請していない場合、オンライン決済を利用して消費できない（特許文献１参照）。よって、オンライン決済は、モバイルインターネットにおいて信頼できる決済ルートを提供できず、従ってモバイル決済の実現に困難が増え、ユーザの不便となっている。
【先行技術文献】
【特許文献】
【０００４】
【特許文献１】特開２００８−３０５３９２号公報
【考案の概要】
【考案が解決しようとする課題】
【０００５】
そこで、本考案は上記のような従来技術の問題点に鑑みて、ネットバンクしていない状態でもオンライン決済できるようにして、モバイルインターネットを利用して信頼できる決済ルートを提供することで、モバイル決済を容易にし、ユーザに便利なモバイル決済装置を提供することを目的とする。
【課題を解決するための手段】
【０００６】
上記の目的を達成するため、本考案が採用する技術的思想は、以下の通りとする。つまり、モバイル決済装置であって、モバイル端末と、前記モバイル端末とマッチするモバイル端末ＰＯＳ（つまりＰｏｉｎｔ  ｏｆ  Ｓａｌｅ、販売時点情報管理端末装置）とを含む。前記モバイル端末ＰＯＳはその上で使用できる磁気カードに感応する。前記モバイル端末ＰＯＳは、順序に従いモバイル端末とモバイルインターネットを通じてバックグラウンドサーバと接続する。
【０００７】
具体的に、前記モバイル端末に外部インターフェースが設けられる。前記モバイル端末ＰＯＳに磁気ヘッドとフィルタ回路が設置される。前記磁気ヘッドが前記磁気カードに感応する。フィルタ回路の入力側と出力側はそれぞれ磁気ヘッドと外部インターフェースに電気的に接続する。前記モバイル端末はモバイルインターネットを通じて前記バックグラウンドサーバにも接続する。
【０００８】
その具体的な動作原理は、次の通りとする。つまりまず磁気ヘッドを通じて該モバイル端末ＰＯＳで使用できる磁気カードに対し磁気カード情報の読み取りを行う。次に、該フィルタ回路を利用して磁気カード情報をフィルタリングした後磁気カード情報の波形を取得する。そして、該磁気カード情報の波形を外部インターフェースでモバイル端末に送る。最後に、モバイル端末を通じて該磁気カード情報の波形を復号化した後で磁気カード情報を取得し、更にモバイル端末のサードパーティーペイメントソフトウェアとバックグラウンドサーバでモバイルインターネットを通じて安全通信を行い、決済プロセスを終えるため便利で、且つ信頼できる。
【０００９】
好ましくは、前記外部インターフェースがＭＩＣ（つまりＭｉｃｒｏｐｈｏｎｅ、マイクロホン）インターフェースとする。
【００１０】  好ましくは、前記バックグラウンドサーバが（公序良俗違反につき、不掲載）のサーバとする。【００１１】
好ましくは、前記モバイル端末が携帯電話或いはＰＤＡ又はタブレット型コンピュータとする。これに対応する前記モバイル端末ＰＯＳは携帯電話ＰＯＳ或いはＰＤＡ‐ＰＯＳまたはタブレット型コンピュータＰＯＳとする。
【００１２】  例えば、モバイル端末は携帯電話の場合、対応するモバイル端末ＰＯＳが携帯電話ＰＯＳで、携帯電話がＭＩＣインターフェースを通じて携帯電話ＰＯＳのフィルタ回路と接続して通信し、携帯電話ＰＯＳに使用できる磁気カードを携帯電話ＰＯＳに読み取らせた時、携帯電話ＰＯＳの磁気ヘッドが磁気カード情報を読み取り、また該磁気カード情報を携帯電話ＰＯＳのフィルタ回路内に送り、該フィルタ回路が該磁気カード情報をフィルタリングした後で磁気カード情報の波形を取得する。携帯電話はＭＩＣインターフェースでフィルタ回路の出力側に接続してオーディオサンプリングを行い、従って該磁気カードを携帯電話ＰＯＳに読み取らせ磁気カード情報の波形を取得してから復号化によって磁気カード情報を取得する。そして、更に携帯電話上のサードパーティーペイメントソフトウェアＡＰＰと（公序良俗違反につき、不掲載）のサーバによりモバイルインターネットを通じて安全通信（例えば、ＲＳＡ暗号化通信）を行うことで決済プロセスを終える。
【考案の効果】
【００１３】
従来の技術に比べて、本考案は以下の有益な効果を持っている。
本考案のモバイル決済装置は、ネットバンキングしていない状態でもオンライン決済ができ、モバイルインターネットの使用で信頼できる決済ルートを提供することで、モバイル決済が容易になるだけではなく、且つユーザにも便利となり、その使用要求を満たすことができる。
【００１４】
以下に添付図面と具体的な実施方法を組み合わせて本考案を更に説明する。
【図面の簡単な説明】
【００１５】
【図１】本考案のモバイル決済装置の一実施例の構造を示す図である。
【図２】図１のモバイル端末の構造を示す図である。
【図３】図１のモバイル端末ＰＯＳの構造を示す図である。
【考案を実施するための形態】
【００１６】
図１乃至図３を参照しながら説明する。本考案のモバイル決済装置には、主にモバイル端末と、前記モバイル端末とマッチするモバイル端末ＰＯＳ（つまりＰｏｉｎｔ  ｏｆ  Ｓａｌｅ、販売時点情報管理端末装置）とを含む。前記モバイル端末ＰＯＳはその上で使用できる磁気カードに感応する。前記モバイル端末ＰＯＳは、順序に従いモバイル端末とモバイルインターネットを通じてバックグラウンドサーバと接続する。
【００１７】
具体的に、前記モバイル端末に外部インターフェースが設けられる。前記モバイル端末ＰＯＳに磁気ヘッドとフィルタ回路が設置される。前記磁気ヘッドが前記磁気カードに感応する。フィルタ回路の入力側と出力側はそれぞれ磁気ヘッドと外部インターフェースに電気的に接続する。前記モバイル端末はモバイルインターネットを通じて前記バックグラウンドサーバにも接続する。
【００１８】
その具体的な動作原理は、次の通りとする。つまりまず磁気ヘッドを通じて該モバイル端末ＰＯＳで使用できる磁気カードに対し磁気カード情報の読み取りを行う。次に、該フィルタ回路を利用して磁気カード情報をフィルタリングした後磁気カード情報の波形を取得する。そして、該磁気カード情報の波形を外部インターフェースでモバイル端末に送る。最後に、モバイル端末を通じて該磁気カード情報の波形を復号化した後で磁気カード情報を取得し、更にモバイル端末のサードパーティーペイメントソフトウェアとバックグラウンドサーバでモバイルインターネットを通じて安全通信を行い、決済プロセスを終えるため便利で、且つ信頼できる。
【００１９】
好ましくは、前記外部インターフェースがＭＩＣ（つまりＭｉｃｒｏｐｈｏｎｅ、マイクロホン）インターフェースとする。
【００２０】  好ましくは、前記バックグラウンドサーバが（公序良俗違反につき、不掲載）のサーバとする。
【００２１】
好ましくは、前記モバイル端末が携帯電話或いはＰＤＡ又はタブレット型コンピュータとする。これに対応する前記モバイル端末ＰＯＳは携帯電話ＰＯＳ或いはＰＤＡ‐ＰＯＳまたはタブレット型コンピュータＰＯＳとする。
【００２２】  例えば、モバイル端末は携帯電話の場合、対応するモバイル端末ＰＯＳが携帯電話ＰＯＳで、携帯電話がＭＩＣインターフェースを通じて携帯電話ＰＯＳのフィルタ回路と接続して通信し、携帯電話ＰＯＳに使用できる磁気カードを携帯電話ＰＯＳに読み取らせた時、携帯電話ＰＯＳの磁気ヘッドが磁気カード情報を読み取り、また該磁気カード情報を携帯電話ＰＯＳのフィルタ回路内に送り、該フィルタ回路が該磁気カード情報をフィルタリングした後で磁気カード情報の波形を取得する。携帯電話はＭＩＣインターフェースでフィルタ回路の出力側に接続してオーディオサンプリングを行い、従って該磁気カードを携帯電話ＰＯＳに読み取らせ磁気カード情報の波形を取得してから復号化によって磁気カード情報を取得する。そして、更に携帯電話上のサードパーティーペイメントソフトウェアＡＰＰと（公序良俗違反につき、不掲載）のサーバによりモバイルインターネットを通じて安全通信（例えば、ＲＳＡ暗号化通信）を行うことで決済プロセスを終える。
【００２３】
当業者にとって、以上に記述されている技術的思考及び精神に基づいてその他種々の変更及び改変が為され得ることを理解すべきであり、行う種々の改変変更をなし得ることは本考案の実用新案登録請求の範囲内に含めるものであるのが勿論である。
【図１】
0003175140.tif 000003
【図２】
0003175140.tif 000004
【図３】
0003175140.tif 000005
【手続補正書】
【提出日】平成24年2月21日(2012.2.21)
【手続補正１】
【補正対象書類名】実用新案登録請求の範囲
【補正対象項目名】請求項１
【補正方法】変更
【補正の内容】
【請求項１】
モバイル決済装置であって、モバイル端末と、前記モバイル端末とマッチするモバイル端末ＰＯＳとを、含み、前記モバイル端末ＰＯＳはその上で使用できる磁気カードに感応し、前記モバイル端末ＰＯＳはモバイル端末とモバイルインターネットを順に経由してバックグラウンドサーバと接続することを特徴とするモバイル決済装置。
【手続補正２】
【補正対象書類名】実用新案登録請求の範囲
【補正対象項目名】請求項４
【補正方法】変更
【補正の内容】
【請求項４】
前記バックグラウンドサーバが前記磁気カードを発行した組織のサーバとすることを特徴とする請求項３に記載のモバイル決済装置。
【手続補正３】
【補正対象書類名】明細書
【補正対象項目名】０００６
【補正方法】変更
【補正の内容】
【０００６】
上記の目的を達成するため、本考案が採用する技術的思想は、以下の通りとする。つまり、モバイル決済装置であって、モバイル端末と、前記モバイル端末とマッチするモバイル端末ＰＯＳ（つまりＰｏｉｎｔ  Ｏｆ  Ｓａｌｅ、販売時点情報管理端末装置）とを含む。前記モバイル端末ＰＯＳはその上で使用できる磁気カードを感応する。前記モバイル端末ＰＯＳは、モバイル端末とモバイルインターネットを順に経由してバックグラウンドサーバと接続する。
【手続補正４】
【補正対象書類名】明細書
【補正対象項目名】００１０
【補正方法】変更
【補正の内容】
【００１０】
好ましくは、前記バックグラウンドサーバが磁気カードを発行した組織のサーバとする。
【手続補正５】
【補正対象書類名】明細書
【補正対象項目名】００１２
【補正方法】変更
【補正の内容】
【００１２】
例えば、モバイル端末は携帯電話の場合、対応するモバイル端末ＰＯＳが携帯電話ＰＯＳで、携帯電話がＭＩＣインターフェースを通じて携帯電話ＰＯＳのフィルタ回路と接続して通信し、携帯電話ＰＯＳに使用できる磁気カードを携帯電話ＰＯＳに読み取らせた時、携帯電話ＰＯＳの磁気ヘッドが磁気カード情報を読み取り、また該磁気カード情報を携帯電話ＰＯＳのフィルタ回路内に送り、該フィルタ回路が該磁気カード情報をフィルタリングした後で磁気カード情報の波形を取得する。携帯電話はＭＩＣインターフェースでフィルタ回路の出力側に接続してオーディオサンプリングを行い、従って該磁気カードを携帯電話ＰＯＳに読み取らせ磁気カード情報の波形を取得してから復号化によって磁気カード情報を取得する。そして、更に携帯電話上のペイメントソフトウェア（例えば、サードパーティーペイメントソフトウェアＡＰＰ）と磁気カードを発行した組織のサーバによりモバイルインターネットを通じて安全通信（例えば、ＲＳＡ暗号化通信）を行うことで決済プロセスを終える。
【手続補正６】
【補正対象書類名】明細書
【補正対象項目名】００１６
【補正方法】変更
【補正の内容】
【００１６】
図１乃至図３を参照しながら説明する。本考案のモバイル決済装置には、主にモバイル端末と、前記モバイル端末とマッチするモバイル端末ＰＯＳ（つまりＰｏｉｎｔ  Ｏｆ  Ｓａｌｅ、販売時点情報管理端末装置）とを含む。前記モバイル端末ＰＯＳはその上で使用できる磁気カードに感応する。前記モバイル端末ＰＯＳは、モバイル端末とモバイルインターネットを順に経由してバックグラウンドサーバと接続する。
【手続補正７】
【補正対象書類名】明細書
【補正対象項目名】００２０
【補正方法】変更
【補正の内容】
【００２０】
好ましくは、前記バックグラウンドサーバが磁気カードを発行した組織のサーバとする。
【手続補正８】
【補正対象書類名】明細書
【補正対象項目名】００２２
【補正方法】変更
【補正の内容】
【００２２】
例えば、モバイル端末は携帯電話の場合、対応するモバイル端末ＰＯＳが携帯電話ＰＯＳで、携帯電話がＭＩＣインターフェースを通じて携帯電話ＰＯＳのフィルタ回路と接続して通信し、携帯電話ＰＯＳに使用できる磁気カードを携帯電話ＰＯＳに読み取らせた時、携帯電話ＰＯＳの磁気ヘッドが磁気カード情報を読み取り、また該磁気カード情報を携帯電話ＰＯＳのフィルタ回路内に送り、該フィルタ回路が該磁気カード情報をフィルタリングした後で磁気カード情報の波形を取得する。携帯電話はＭＩＣインターフェースでフィルタ回路の出力側に接続してオーディオサンプリングを行い、従って該磁気カードを携帯電話ＰＯＳに読み取らせ磁気カード情報の波形を取得してから復号化によって磁気カード情報を取得する。そして、更に携帯電話上のペイメントソフトウェア（例えば、サードパーティーペイメントソフトウェアＡＰＰ）と磁気カードを発行した組織のサーバよりモバイルインターネットを通じて安全通信（例えば、ＲＳＡ暗号化通信）を行うことで決済プロセスを終える。